(57)【要約】【課題】従来よりも小型化及び薄型化が可能なランプソケットを提供する。【解決手段】ソケット本体１０の前面に一対の挿入溝部１２ａ，１２ｂを設けるとともに挿入溝部１２ａ，１２ｂに挿入された放電ランプＬＡ１の端子ピン７ａ，７ｂを受ける一対の端子受け具１３が挿入溝部１２ａ，１２ｂ内に配設されている。このため、ソケット本体１０の外形寸法を放電ランプＬＡ１のホルダ部４の外形寸法よりも小さくすることができる。故に、端子受け金具２０６をホルダ部１０１の周面に対向する位置に設けなければならなかった従来例に比較してソケット本体１０の小型化及び薄型化が可能となる。【選択図】        図１
2004220813.tif 000002
【特許請求の範囲】
【請求項１】
放電管と、ランプソケットの受金部と接続される口金部を有し放電管を支持するホルダ部とを具備し、前記口金部が前記ホルダ部の一面から同一方向に突出する一対の端子ピンからなる放電ランプが着脱自在に装着されるランプソケットであって、一対の前記端子ピンがそれぞれ挿入される一対の挿入溝部が一面に設けられたソケット本体と、該ソケット本体内に収納されて前記挿入溝部に挿入された前記端子ピンに接触導通する一対の端子受け具からなる前記受金部とを備えたことを特徴とするランプソケット。
【請求項２】
前記挿入溝部が開口する前記ソケット本体の装着面より突出して前記ホルダ部の少なくとも一部を覆う周壁部と、該周壁部の内周面に設けられて前記ホルダ部の周面に形成された係止溝に係止する係止爪とを備えたことを特徴とする請求項１記載のランプソケット。
【請求項３】
前記挿入溝部が開口する前記ソケット本体の装着面より突出して前記ホルダ部の少なくとも一部を覆う周壁部と、該周壁部の先端に設けられて前記ホルダ部より外側に突出する外鍔部に当接するフランジ部とを備えたことを特徴とする請求項１記載のランプソケット。
【請求項４】
前記放電ランプは、略円筒形に形成された前記ホルダ部の底面より突出する前記端子の基端部分を覆って保護する保護部が突設されてなり、前記ソケット本体の装着面における少なくとも何れか一方の前記挿入溝部の周囲に形成されて該保護部が挿入される略円弧状の凹所と、該凹所の一端側に設けられて前記保護部より突出する係合突起が挿入される係合突起挿入口と、前記凹所内に設けられて前記ホルダ部を前記ソケット本体に対して回動させたときに該係合突起挿入口より前記凹所内に挿入された前記係合突起と係合する係合溝とを備えたことを特徴とする請求項１記載のランプソケット。
【請求項５】
前記放電ランプは、略円筒形に形成された前記ホルダ部の底面より突出する前記端子の基端部分を覆って保護する保護部が突設されてなり、前記ソケット本体の装着面における前記挿入溝部の周囲に形成されて該保護部が挿入される一対の凹所と、絶縁材料によりリング状に形成され、該凹所のうちで少なくとも前記放電ランプの始動時に始動用の高圧パルス電圧が印加される方の前記端子ピンの前記保護部が挿入される方の凹所内に収納されて当該保護部の周面に当接する絶縁部材とを備えたことを特徴とする請求項１〜４の何れかに記載のランプソケット。
【請求項６】
前記放電ランプは、略円筒形に形成された前記ホルダ部の底面より突出する前記端子の基端部分を覆って保護する保護部が突設されてなり、前記ソケット本体の装着面における前記挿入溝部の周囲に形成されて該保護部が挿入される一対の凹所と、絶縁材料によりリング状に形成され、該凹所のうちで少なくとも前記放電ランプの始動時に始動用の高圧パルス電圧が印加される方の前記端子ピンの前記保護部が挿入される方の凹所内に収納されて当該保護部の先端面に当接する絶縁部材とを備えたことを特徴とする請求項１〜４の何れかに記載のランプソケット。
【請求項７】
前記放電ランプは、前記ホルダ部が略円形の凹部を底面に有する略円筒形に形成され、該凹部の底面より一対の前記端子ピンが突出してなり、前記凹部と嵌合する略円筒形に形成された前記ソケット本体と、前記ソケット本体の外周面と前記凹部の内周面の間に介在して該凹部内への水分の侵入を防ぐ防水部材とを備えたことを特徴とする請求項１又は４又は５又は６記載のランプソケット。
【請求項８】
一対の前記端子ピンのうちで前記放電ランプの始動時に始動用の高圧パルス電圧が印加されない低圧側の前記端子ピンを受ける前記端子受け具は、当該端子ピンを介してのみ互いに導通する一対の端子板からなることを特徴とする請求項１〜７の何れかに記載のランプソケット。
【請求項９】
前記放電ランプを始動させるための始動用の高圧パルス電圧を発生する高圧パルス電圧発生部を前記ソケット本体内に収納したことを特徴とする請求項１〜８の何れかに記載のランプソケット。
【発明の詳細な説明】
【０００１】
【発明の属する技術分野】
本発明は、車両の前照灯や補助灯に利用される放電ランプが着脱自在に装着されるランプソケットに関するものである。
【０００２】
【従来の技術】
近年、自動車の前照灯（ヘッドライト）や補助灯（フォグランプ）にＨＩＤランプ（高輝度放電ランプ）が使用されており、例えば、図３５に示すような構造の放電ランプＬＡ’と、図３６及び図３７に示すようなランプソケットＳ’が提供されている（例えば、特許文献１参照）。
【０００３】
この放電ランプＬＡ’は、放電管１００と、放電管１００を支持するホルダ部１０１とを備え、前面に放電管１００が取り付けられた円筒形の主部１０２と、主部１０２よりも外形寸法の小さい円筒形であって主部１０２の背面より突設された嵌合部１０３とでホルダ部１０１が構成されている。また、主部１０２の周面には一対の係合ピン１０４が径方向に突設され、嵌合部１０３の底面には円形凹部１０３ａが形成されている。
【０００４】
ホルダ部１０１の中心部には棒状の導電部材が挿着されており、この導電部材の一端が放電管１００内に配設された一対の電極１０６ａ，１０６ｂの一方（電極１０６ａ）に電気的に接続され、他端が円形凹部１０３ａの底面より突出されて端子１０５を形成している。また、嵌合部１０３の周面には他方の電極１０６ｂと電気的に接続された円環状の端子１０７が設けられている。すなわち、ホルダ部１０１並びに２つの端子１０５，１０７によって放電ランプＬＡ’の口金部が構成されている。なお、このような構造の口金部はＥＣＥ  Ｒｅｇ．Ｎｏ．９９やＩＥＣ  ６００６１等の規格においてＰ３２ｄ−２の口金として規定されている。
【０００５】
一方、ランプソケットＳ’は合成樹脂成形品からなるソケット本体２００を備えている。このソケット本体２００は、図３６に示すように前面に開口する有底円筒形状の筒状部２０１を有しており、この筒状部２０１には放電ランプＬＡ’の嵌合部１０３と嵌合するソケット側嵌合部２０２と、主部１０２の周面に突設されている一対の係合ピン１０４が係合するピン係合部２０３とが形成されている。また、筒状部２０１の内底面中央には前面が開口する有底円筒形状の円筒部２０４が突設されており、この円筒部２０４と筒状部２０１の内周面との間の空間がソケット側嵌合部２０２となる。さらに、円筒部２０４の底部には嵌合部１０３の底面に突出する端子１０５を受けて接触導通する端子受け金具２０５が配設され、筒状部２０１の内底面における周部には嵌合部１０３の周面に露出する円環状の端子１０７と接触導通する２つの端子受け金具２０６，２０６が配設されている。なお、これら３つの端子受け金具２０５，２０６，２０６はソケット本体２００内においてそれぞれ電線２２０，２２１，２２２に接続されており、ソケット本体２００の一端部からこれら３本の電線２２０〜２２２が引き出されて放電灯点灯装置に接続されている。
【０００６】
ピン係合部２０３は、筒状部２０１の周方向に所定の間隔をおいて形成された複数（４つ）の係合孔部２０３ａと、筒状部２０１の内周面に形成されて係合孔部２０３ａの端部に連なる挿入用溝２０３ｂと、係合孔部２０３ａの端部であって、挿入用溝２０３ｂに連なる部位とは反対側の端部に設けられて係合孔部２０３ａに連なる切欠き部２０３ｃとで構成される。
【０００７】
而して、嵌合部１０３をソケット本体２００のソケット側嵌合部２０２に嵌合し、係合ピン１０４を挿入用溝２０３ｂに挿入した後、放電ランプＬＡ’を回転させて係合ピン１０４を係合孔部２０３ａに係合することで放電ランプＬＡ’がランプソケットＳ’に装着され、一方の端子１０５が円筒部２０４の内底面に配設された端子受け金具２０５に接続されて接触導通するとともに他方の端子１０７がソケット側嵌合部２０２の周部に配設された端子受け金具２０６，２０６と接触導通することになる（図３８参照）。
【０００８】
【特許文献１】
特開平１０−６９９５３号公報（段落００１２−段落００２６、第１図、第２図及び第７図）
【０００９】
【発明が解決しようとする課題】
ところで、上記従来のランプソケットＳ’では放電ランプＬＡ’の口金（Ｒ３２ｄ−２）に適合した受金（筒状部２０１、端子受け金具２０５，２０６）を有しているが、放電ランプＬＡ’の一方の端子１０７が嵌合部１０３の周面に露出させて設けられている関係上、端子受け金具２０６を嵌合部１０３の周面に対向する位置に設けなければならず、しかも放電ランプＬＡ’の始動時に始動用の高圧パルス電圧が印加されることから端子受け金具２０５，２０６と周囲との絶縁距離を確保しなければならないために少なくとも嵌合部１０３よりも寸法の大きなソケット側嵌合部２０２をソケット本体２００に設ける必要がある。一方、近年の自動車デザインの多様化に伴い、前照灯や補助灯の小型化・薄型化の要求がますます高まっているが、上述のように従来のランプソケットＳ’では放電ランプＬＡ’のＲ３２ｄ−２の口金形状よりもソケット本体２００を小型化や薄型化することが困難であった。
【００１０】
本発明は上記事情に鑑みて為されたものであり、その目的は、従来よりも小型化及び薄型化が可能なランプソケットを提供することにある。
【００１１】
【課題を解決するための手段】
請求項１の発明は、上記目的を達成するために、放電管と、ランプソケットの受金部と接続される口金部を有し放電管を支持するホルダ部とを具備し、前記口金部が前記ホルダ部の一面から同一方向に突出する一対の端子ピンからなる放電ランプが着脱自在に装着されるランプソケットであって、一対の前記端子ピンがそれぞれ挿入される一対の挿入溝部が一面に設けられたソケット本体と、該ソケット本体内に収納されて前記挿入溝部に挿入された前記端子ピンに接触導通する一対の端子受け具からなる前記受金部とを備えたことを特徴とする。
【００１２】
請求項２の発明は、請求項１の発明において、前記挿入溝部が開口する前記ソケット本体の装着面より突出して前記ホルダ部の少なくとも一部を覆う周壁部と、該周壁部の内周面に設けられて前記ホルダ部の周面に形成された係止溝に係止する係止爪とを備えたことを特徴とする。
【００１３】
請求項３の発明は、請求項１の発明において、前記挿入溝部が開口する前記ソケット本体の装着面より突出して前記ホルダ部の少なくとも一部を覆う周壁部と、該周壁部の先端に設けられて前記ホルダ部より外側に突出する外鍔部に当接するフランジ部とを備えたことを特徴とする。
【００１４】
請求項４の発明は、請求項１の発明において、前記放電ランプは、略円筒形に形成された前記ホルダ部の底面より突出する前記端子の基端部分を覆って保護する保護部が突設されてなり、前記ソケット本体の装着面における少なくとも何れか一方の前記挿入溝部の周囲に形成されて該保護部が挿入される略円弧状の凹所と、該凹所の一端側に設けられて前記保護部より突出する係合突起が挿入される係合突起挿入口と、前記凹所内に設けられて前記ホルダ部を前記ソケット本体に対して回動させたときに該係合突起挿入口より前記凹所内に挿入された前記係合突起と係合する係合溝とを備えたことを特徴とする。
【００１５】
請求項５の発明は、請求項１〜４の何れかの発明において、前記放電ランプは、略円筒形に形成された前記ホルダ部の底面より突出する前記端子の基端部分を覆って保護する保護部が突設されてなり、前記ソケット本体の装着面における前記挿入溝部の周囲に形成されて該保護部が挿入される一対の凹所と、絶縁材料によりリング状に形成され、該凹所のうちで少なくとも前記放電ランプの始動時に始動用の高圧パルス電圧が印加される方の前記端子ピンの前記保護部が挿入される方の凹所内に収納されて当該保護部の周面に当接する絶縁部材とを備えたことを特徴とする。
【００１６】
請求項６の発明は、請求項１〜４の何れかの発明において、前記放電ランプは、略円筒形に形成された前記ホルダ部の底面より突出する前記端子の基端部分を覆って保護する保護部が突設されてなり、前記ソケット本体の装着面における前記挿入溝部の周囲に形成されて該保護部が挿入される一対の凹所と、絶縁材料によりリング状に形成され、該凹所のうちで少なくとも前記放電ランプの始動時に始動用の高圧パルス電圧が印加される方の前記端子ピンの前記保護部が挿入される方の凹所内に収納されて当該保護部の先端面に当接する絶縁部材とを備えたことを特徴とする。
【００１７】
請求項７の発明は、請求項１又は４又は５又は６の発明において、前記放電ランプは、前記ホルダ部が略円形の凹部を底面に有する略円筒形に形成され、該凹部の底面より一対の前記端子ピンが突出してなり、前記凹部と嵌合する略円筒形に形成された前記ソケット本体と、前記ソケット本体の外周面と前記凹部の内周面の間に介在して該凹部内への水分の侵入を防ぐ防水部材とを備えたことを特徴とする。
【００１８】
請求項８の発明は、請求項１〜７の何れかの発明において、一対の前記端子ピンのうちで前記放電ランプの始動時に始動用の高圧パルス電圧が印加されない低圧側の前記端子ピンを受ける前記端子受け具は、当該端子ピンを介してのみ互いに導通する一対の端子板からなることを特徴とする。
【００１９】
請求項９の発明は、請求項１〜８の何れかの発明において、前記放電ランプを始動させるための始動用の高圧パルス電圧を発生する高圧パルス電圧発生部を前記ソケット本体内に収納したことを特徴とする。
【００２０】
【発明の実施の形態】
以下、図面を参照して本発明を実施形態により詳細に説明する。
【００２１】
（実施形態１）
まず、本実施形態のランプソケットＳ１に着脱自在に接続される放電ランプＬＡ１について図４を参照して簡単に説明する。
【００２２】
この放電ランプＬＡ１は、放電管１及び一対の電極３ａ，３ｂが内部に収納された紫外線抑止用のガラス管２を一端側で支持するホルダ部４を備えている。ホルダ部４は絶縁性の高い合成樹脂により全体が略円筒形に形成されており、前面中央部においてガラス管２の一端部を支持するとともに周面前方には径方向に突出する円形の外鍔部５が一体に形成されている。また、ホルダ部４の底面中央部並びに底面周部には円筒形の保護部６ａ，６ｂが後方（図４（ａ）における下方）へ突設されており、これら一対の保護部６ａ，６ｂの先端からそれぞれ端子ピン７ａ，７ｂが突出させてある。以下、説明を簡単にするために一方の保護部６ａ及び端子ピン７ａをそれぞれ中心側保護部６ａ並びに中心側端子ピン７ａと呼び、他方の保護部６ｂ及び端子ピン７ｂをそれぞれ周辺側保護部６ｂ並びに周辺側端子ピン７ｂと呼ぶことにする。
【００２３】
中心側並びに周辺側の各端子ピン７ａ，７ｂはステンレス等の金属材料により先端部を略球面とする円柱状に形成されるとともにホルダ部４の内部でそれぞれ電極３ａ，３ｂと電気的に接続されており、中心側及び周辺側の保護部６ａ，６ｂによって各々基端部分が覆われて互いの絶縁距離の確保と外力による折れや曲がりから保護されている。つまり、この放電ランプＬＡ１では中心側及び周辺側の保護部６ａ，６ｂと中心側及び周辺側の端子ピン７ａ，７ｂによって口金部が構成されている。なお、ランプソケットＳ１に対する誤装着を防止するため、中心側保護部６ａの外形寸法を周辺側保護部６ｂの外形寸法よりも大きくしてある。
【００２４】
上述のように構成される放電ランプＬＡ１が着脱自在に装着される本実施形態のランプソケットＳ１は、図２及び図３に示すように絶縁性の高い合成樹脂に略円筒形に形成されたソケット本体１０を備える。ソケット本体１０の前面には中心側及び周辺側の各保護部６ａ，６ｂが挿入される円形の凹所１１ａ，１１ｂと、凹所１１ａ，１１ｂよりも内径寸法の小さい円形であって中心側及び周辺側の端子ピン７ａ，７ｂが挿入される挿入溝部１２ａ，１２ｂとが連続一体に形成されている。そして、各挿入溝部１２ａ，１２ｂ内には中心側及び周辺側の端子ピン７ａ，７ｂに各々接触導通する端子受け具１３，１３が配設されている。なお、中心側保護部６ａが挿入される凹所１１ａの内径寸法が周辺側保護部６ｂが挿入される凹所１１ｂの内径寸法よりも大きくなっている。
【００２５】
端子受け具１３は金属板を折り曲げるなどして略コ字型に形成されており、挿入溝部１２ａ，１２ｂの径方向に対向する一対のばね片１３ａで端子ピン７ａ，７ｂを狭持するものである。なお、これらの端子受け具１３はソケット本体１０の内部において電線１４ａ，１４ｂと接続されており、これらの電線１４ａ，１４ｂがソケット本体１０の周面後端側から突設された保持部１５よりソケット本体１０の外に引き出されている。なお、２つの電線１４ａ，１４ｂは放電ランプＬＡ１の始動時に高圧パルス電圧が印加される側（高圧側）の電線（中心側端子ピン７ａと接続されている電線）１４ａの方が線径を太くしてある。
【００２６】
図１に示すように、上述のように構成される放電ランプＬＡ１の中心側及び周辺側の端子ピン７ａ，７ｂをそれぞれランプソケットＳ１の挿入溝部１２ａ，１２ｂに挿入して端子受け具１３に接続すれば、中心側及び周辺側の保護部６ａ，６ｂもそれぞれ凹所１１ａ，１１ｂに挿入されてランプソケットＳ１に放電ランプＬＡ１が装着される。このとき、凹所１１ａ，１１ｂの内径寸法が保護部６ａ，６ｂの外形寸法に対応して互いに異ならせてあるので、中心側及び周辺側の端子ピン７ａ，７ｂが挿入溝部１２ｂ，１２ａに誤挿入されることがないものである。
【００２７】
而して、本実施形態のランプソケットＳ１では、ソケット本体１０の前面に一対の挿入溝部１２ａ，１２ｂを設けるとともに挿入溝部１２ａ，１２ｂに挿入された放電ランプＬＡ１の端子ピン７ａ，７ｂを一対の端子受け具１３で受ける構成としたため、図１に示すようにソケット本体１０の外形寸法をホルダ部４の外形寸法よりも小さくすることができ、端子受け金具２０６をホルダ部１０１の周面に対向する位置に設けなければならなかった従来例に比較してソケット本体１０の小型化及び薄型化が可能となる。
【００２８】
ところで、本実施形態のランプソケットＳ１を通じて放電ランプＬＡ１の始動及び点灯を行う放電灯点灯装置は、例えば図５に示すように自動車のバッテリ等の直流電源２３０から放電ランプＬＡ１への供給電力を調整する電力調整部２３１と、調整された直流電力を低周波矩形波電圧・電流に変換する直流−矩形波変換部２３２と、始動用の高圧パルス電圧を発生する高圧パルス電圧発生部２３３と、電力調整部２３１並びに直流−矩形波変換部２３２を制御する制御回路部２３４とで構成される。ここで電力調整部２３１は通常昇降圧チョッパ回路で構成され、直流−矩形波変換部２３２は通常４つのスイッチング素子のブリッジ回路からなるインバータ回路で構成される。そして、電力調整部２３１では、昇降圧チョッパ回路を構成するスイッチング素子のスイッチング周波数やオンデューティ比を制御回路部２３４により変化させることで直流電源２３０の電源電圧から放電ランプＬＡ１の点灯に必要な直流電圧に変換し、直流−矩形波変換部２３２では、ブリッジ回路の対角辺の位置にある２組のスイッチング素子を制御回路部２３４により数百ｋＨｚの低周波で交互にオン・オフすることで放電ランプＬＡ１に低周波矩形波電圧を印加することができる。
【００２９】
一方、高圧パルス電圧発生部２３３は、例えば放電ギャップやコンデンサ並びにパルストランス等で構成される従来周知のものであって、コンデンサの両端電圧の上昇により放電ギャップが導通したときにコンデンサの放電電流をパルストランスの１次側に流すことで２次側に接続された放電ランプＬＡ１に高圧パルス電圧を印加するものである。なお、放電ギャップの代わりにサイリスタ等の半導体スイッチング素子を用いる場合には直流−矩形波変換部２３２と高圧パルス電圧発生部２３３との間が２線で接続されて図６のように構成される。
【００３０】
而して、高圧パルス電圧発生部２３３から出力される高圧パルス電圧により両電極３ａ，３ｂ間の絶縁が破壊され、放電管１内にアークが発生して放電ランプＬＡ１が始動し、制御回路部２３４により電力調整部２３１並びに直流−矩形波変換部２３２を制御して供給電力を調整することで放電ランプＬＡ１を安定点灯状態に移行させることができる。
【００３１】
（実施形態２）
本実施形態のランプソケットＳ２は、図７及び図８に示すようにソケット本体１０の装着面（前面）より前方へ突出して放電ランプＬＡ２のホルダ部４の一部を覆う複数の周壁部１６と、各周壁部１６の内周面先端部に設けられてホルダ部４の周面に形成された係止溝４ａに係止する係止爪１６ａとを備えた点に特徴がある。但し、本実施形態のランプソケットＳ２の基本構成は寸法の違いを除いて実施形態１のランプソケットＳ１とほぼ共通であるから、共通の構成要素には同一の符号を付して説明を省略する。
【００３２】
本実施形態におけるソケット本体１０は、放電ランプＬＡ２のホルダ部４の外形寸法よりも若干大きい外形寸法に形成されており、その前面周縁には４つの周壁部１６が円周方向において互いに等間隔に設けてある。これらの周壁部１６は短冊状であってソケット本体１０と一体に形成されており、先端部には内側に向けて係止爪１６ａが突設されている。
【００３３】
一方、本実施形態における放電ランプＬＡ２は、図９に示すようにホルダ部４の周面に円周方向に沿って係止溝４ａが形成されており、これ以外の構成は実施形態１における放電ランプＬＡ１と同一であるから説明は省略する。
【００３４】
図１０に示すように放電ランプＬＡ２の中心側及び周辺側の端子ピン７ａ，７ｂをそれぞれランプソケットＳ２の挿入溝部１２ａ，１２ｂに挿入すると、ホルダ部４の周面に係止爪１６ａの先端が摺接して周壁部１６が外側へ撓み、端子ピン７ａ，７ｂが端子受け具１３に接続される位置まで挿入すれば、係止爪１６ａがホルダ部４の係止溝４ａに係止されるとともに中心側及び周辺側の保護部６ａ，６ｂもそれぞれ凹所１１ａ，１１ｂに挿入されてランプソケットＳ２に放電ランプＬＡ２が装着される。このとき、係止溝４ａに係止爪１６ａを係止することでホルダ部４がソケット本体１０から脱落するのを防ぐことができる。なお、実施形態１の放電ランプＬＡ２及びランプソケットＳ１ではホルダ部４のソケット本体１０からの脱落を防止するために別途部材が必要であるが、本実施形態においては脱落防止構造をソケット本体１０並びにホルダ部４と一体に設けているから脱落防止用に他の部材が不要である。
【００３５】
なお、本実施形態では周壁部１６の個数を４つとしたが、これに限定する趣旨ではなく４つより多くても少なくても構わない。また、周壁部１６をホルダ部４全体を覆うように形成しても構わない。
【００３６】
（実施形態３）
本実施形態のランプソケットＳ３は、図１１及び図１２に示すようにソケット本体１０の前面より前方へ突出して放電ランプＬＡ１のホルダ部４を覆う周壁部１７と、周壁部１７の先端に設けられてホルダ部４より外側に突出する外鍔部５に当接するフランジ部１７ａとを備えた点に特徴がある。但し、本実施形態のランプソケットＳ３の基本構成は寸法の違いを除いて実施形態１のランプソケットＳ１とほぼ共通であるから、共通の構成要素には同一の符号を付して説明を省略する。
【００３７】
本実施形態におけるソケット本体１０は、放電ランプＬＡ１のホルダ部４の外形寸法よりも若干大きい外形寸法に形成されており、その前面周縁から前方に向かってホルダ部４全体を覆う円筒形の周壁部１７が突設されている。また、周壁部１７の先端には外側に突出する円環状のフランジ部１７ａが周壁部１７と一体に形成されている。なお、放電ランプＬＡ１は実施形態１と同一であるから図示並びに説明は省略する。
【００３８】
図１３に示すように放電ランプＬＡ１の中心側及び周辺側の端子ピン７ａ，７ｂをそれぞれランプソケットＳ３の挿入溝部１２ａ，１２ｂに挿入して端子受け具１３に接続すれば、中心側及び周辺側の保護部６ａ，６ｂもそれぞれ凹所１１ａ，１１ｂに挿入されてランプソケットＳ３に放電ランプＬＡ１が装着される。このとき、放電ランプＬＡ１のホルダ部４における外鍔部５から後方の部位が周壁部１７で囲まれた凹所内に収納されるとともに周壁部１７の先端に設けられたフランジ部１７ａが外鍔部５に当接することになる。
【００３９】
ここで、前照灯や補助灯の灯体に設けられた固定手段（図示せず）により互いに当接させた外鍔部５及びフランジ部１７ａを挟み込むようにすれば、放電ランプＬＡ１と同時にランプソケットＳ３も灯体に固定することができ、灯体へのランプソケットＳ３の固定作業が簡略化できる。なお、このような固定手段や灯体については従来周知であるから図示並びに説明は省略する。
【００４０】
（実施形態４）
本実施形態のランプソケットＳ４の基本構成は寸法の違いを除いて実施形態１のランプソケットＳ１とほぼ共通であるから、共通の構成要素には同一の符号を付して説明を省略する。
【００４１】
本実施形態のランプソケットＳ４では、図１４及び図１５に示すように周辺側凹所１１ｂ’並びに周辺側挿入溝部１２ｂ’がそれぞれソケット本体１０の中心部と同心の略円弧状に形成されており、周辺側挿入溝部１２ｂ’の一端部に端子受け具１３’が配設されている。この端子受け具１３’は中心側挿入溝部１２ａ内に配設されている端子受け具１３を横に倒した形状に形成されている（図１４参照）。
【００４２】
また、周辺側凹所１１ｂ’の他端部には周辺側保護部６ｂの周面より突出する係合突起６ｃが挿入される係合突起挿入口１８が設けられ、周辺側凹所１１ｂ’の内周面には一端側で係合突起挿入口１８と連通し且つ他端側で係合突起６ｃと係合する係合溝１９が設けてある（図１５参照）。
【００４３】
一方、本実施形態における放電ランプＬＡ３は、図１６に示すように周辺側保護部６ｂの周面に円筒形の係合突起６ｃが突設されており、これ以外の構成は実施形態１における放電ランプＬＡ１と同一であるから説明は省略する。
【００４４】
上述のように構成される本実施形態のランプソケットＳ４では、放電ランプＬＡ３の中心側端子ピン７ａ並びに中心側保護部６ａをそれぞれ中心側挿入溝部１２ａ並びに中心側凹所１１ａに挿入し、係合突起６ｃを係合突起挿入口１８に挿入すると同時に周辺側端子ピン７ｂ並びに周辺側保護部６ｂを周辺側挿入溝部１２ｂ’並びに周辺側凹所１１ｂ’の各端部に挿入した後、放電ランプＬＡ３（又はランプソケットＳ４）を中心側保護部６ａ並びに中心側端子ピン７ａを支点として回動させ、周辺側の保護部６ｂ及び端子ピン７ｂをそれぞれ周辺側凹所１１ｂ’並びに周辺側挿入溝部１２ｂ’の他端側まで移動させれば、周辺側端子ピン７ｂが端子受け具１３’のばね片１３ａ’間に挿入されて接続されるとともに、係合突起挿入口１８から挿入された係合突起６ｃも同様に移動して係合溝１９に係合することとなる。つまり、係合突起６ｃが係合溝１９に係合することで放電ランプＬＡ３のランプソケットＳ４からの脱落が防止できる。なお、実施形態１の放電ランプＬＡ２及びランプソケットＳ１ではホルダ部４のソケット本体１０からの脱落を防止するために別途部材が必要であるが、本実施形態においては、実施形態２と同様に脱落防止構造をソケット本体１０並びにホルダ部４と一体に設けているから脱落防止用に他の部材が不要である。
【００４５】
（実施形態５）
本実施形態のランプソケットＳ２’の基本構成は実施形態２のランプソケットＳ２と共通であるから、共通の構成要素には同一の符号を付して説明を省略し、本実施形態の特徴となる構成についてのみ説明する。
【００４６】
本実施形態のランプソケットＳ２’では、図１８に示すように始動用の高圧パルス電圧が印加される中心側端子ピン７ａから高電圧がリークするのを防止するため、中心側保護部６ａの周面に当接する絶縁部材２０を中心側凹所１１ａ内に収納しており、この点が本実施形態の特徴となる。
【００４７】
絶縁部材２０は、図１９に示すように合成ゴムのような弾性を有する絶縁材料によりリング状に形成され、外周面並びに内周面には周方向に沿った突条２０ａ，２０ｂがそれぞれ軸方向に並べて２つずつ突設されている。なお、絶縁部材２０の中央に開口する軸孔２０ｃの内径寸法を中心側保護部６ａの外形寸法よりも僅かに小さくしてある。
【００４８】
一方、中心側凹所１１ａの内周面には周方向に沿った凹溝からなる固定溝２１が形成されており、図１８に示すように固定溝２１に嵌合することで絶縁部材２０を中心側凹所１１ａ内に収納して固定するようにしている。なお、本実施形態のランプソケットＳ２’に装着される放電ランプＬＡ２は実施形態２で説明したものと同一であるから説明は省略する。
【００４９】
而して、図２０に示すように放電ランプＬＡ２の中心側及び周辺側の端子ピン７ａ，７ｂをそれぞれランプソケットＳ２’の挿入溝部１２ａ，１２ｂに挿入していくと、中心側凹所１１ａ内に収納されている絶縁部材２０の軸孔２０ｃに中心側保護部６ａが圧入され、中心側及び周辺側の端子ピン７ａ，７ｂがそれぞれ端子受け具１３に接続される位置まで挿入すれば、係止爪１６ａがホルダ部４の係止溝４ａに係止されてランプソケットＳ２’に放電ランプＬＡ２が装着される。このとき、中心側保護部６ａと絶縁部材２０並びに絶縁部材２０と固定溝２１の間が絶縁部材２０の外側並びに内側の突条２０ａ，２０ｂによってそれぞれ全周に亘って密着することになるから、中心側保護部６ａ並びに中心側凹所１１ａの表面（沿面）を絶縁部材２０で遮断することによって中心側端子ピン７ａに印加される高圧パルス電圧が沿面を伝ってリークするのを防ぐことができる。
【００５０】
なお、本実施形態では実施形態２のランプソケットＳ２に絶縁部材２０を用いる構成としたが、実施形態１，３，４の何れのランプソケットＳ１，Ｓ３，Ｓ４についても絶縁部材２０を用いて本実施形態と同様の作用効果を奏することは可能である。
【００５１】
（実施形態６）
本実施形態のランプソケットＳ２”の基本構成は実施形態２のランプソケットＳ２と共通であるから、共通の構成要素には同一の符号を付して説明を省略し、本実施形態の特徴となる構成についてのみ説明する。
【００５２】
本実施形態のランプソケットＳ２”では、図２１に示すように始動用の高圧パルス電圧が印加される中心側端子ピン７ａから高電圧がリークするのを防止するため、中心側保護部６ａの先端面に当接する絶縁部材２２を中心側凹所１１ａ内に収納しており、この点が本実施形態の特徴となる。
【００５３】
絶縁部材２２は、図２２に示すように合成ゴムのような弾性を有する絶縁材料によりリング状に形成され、外周面並びに中心側保護部６ａの先端面と対向する面（図２２（ｂ）における上面）には周方向に沿った突条２２ａ，２２ｂがそれぞれ突設されている。なお、絶縁部材２２の中央に開口する軸孔２２ｃの内径寸法は中心側保護部６ａの外形寸法よりも小さく且つ中心側端子ピン７ａの外形寸法よりも大きくしてある。
【００５４】
一方、中心側凹所１１ａにおける中心側挿入溝部１２ａとの境界部分の内周面には周方向に沿った凹溝からなる固定溝２３が形成されており、図２１に示すように固定溝２３に嵌合することで絶縁部材２３を中心側凹所１１ａ内に収納して固定するようにしている。なお、本実施形態のランプソケットＳ２”に装着される放電ランプＬＡ２は実施形態２で説明したものと同一であるから説明は省略する。
【００５５】
而して、図２３に示すように放電ランプＬＡ２の中心側及び周辺側の端子ピン７ａ，７ｂをそれぞれランプソケットＳ２”の挿入溝部１２ａ，１２ｂに挿入すると中心側及び周辺側の端子ピン７ａ，７ｂがそれぞれ端子受け具１３に接続され、係止爪１６ａがホルダ部４の係止溝４ａに係止されてランプソケットＳ２”に放電ランプＬＡ２が装着される。このとき、中心側凹所１１ａ内に収納されている絶縁部材２２は、上面に突設されている突条２２ｂによって中心側保護部６ａの先端面に圧接し、中心側保護部６ａと絶縁部材２２並びに絶縁部材２２と固定溝２３の間が絶縁部材２２の外周面並びに上面の突条２２ａ，２２ｂによってそれぞれ全周に亘って密着することになるから、中心側保護部６ａ並びに中心側凹所１１ａの表面（沿面）を絶縁部材２２で遮断することによって中心側端子ピン７ａに印加される高圧パルス電圧が沿面を伝ってリークするのを防ぐことができる。
【００５６】
なお、本実施形態では実施形態２のランプソケットＳ２に絶縁部材２２を用いる構成としたが、実施形態１，３，４の何れのランプソケットＳ１，Ｓ３，Ｓ４についても絶縁部材２２を用いて本実施形態と同様の作用効果を奏することは可能である。
【００５７】
（実施形態７）
本実施形態のランプソケットＳ５の基本構成は実施形態１のランプソケットＳ１と共通であるから、共通の構成要素には同一の符号を付して説明を省略し、本実施形態の特徴となる構成についてのみ説明する。
【００５８】
図２６は本実施形態のランプソケットＳ５に装着される放電ランプＬＡ４を示している。この放電ランプＬＡ４は基本的に実施形態１における放電ランプＬＡ１と共通の構成を有しているが、ホルダ部４の底面に円形の嵌合凹部４ｂが形成され、２つの保護部６ａ，６ｂ並びに端子ピン７ａ，７ｂが嵌合凹部４ｂの底面における中心からそれぞれずらした位置より突出させてある点が異なる。
【００５９】
そして、本実施形態のランプソケットＳ５では、図２４及び図２５に示すように実施形態６で説明した絶縁部材２２を一方（端子ピン７ａに対応する方）の凹所１１ａ内に収納するとともに、ソケット本体１０の外周面に防水部材２４を配設しており、この点が本実施形態の特徴となる。
【００６０】
絶縁部材２２は実施形態６と同一のものであって、凹所１１ａにおける中心側挿入溝部１２ａとの境界部分の内周面に形成された固定溝２３に嵌合されて凹所１１ａ内に収納且つ固定される。
【００６１】
またソケット本体１０の外周面における先端部には、合成ゴムによって円環状に形成された所謂Ｏリングからなる防水部材２４を嵌着するための嵌着溝２５が周方向の全周に亘って形成されている。
【００６２】
而して、図２７に示すように放電ランプＬＡ４の端子ピン７ａ，７ｂをそれぞれランプソケットＳ５の挿入溝部１２ａ，１２ｂに挿入すると端子ピン７ａ，７ｂがそれぞれ端子受け具１３に接続され、ソケット本体１０がホルダ部４の底面に開口する嵌合凹部４ｂに嵌合してランプソケットＳ５に放電ランプＬＡ４が装着される。このとき、ソケット本体１０の嵌着溝２５に嵌着されている防水部材２４がホルダ部４の嵌合凹部４ｂの内周面に密着するため、嵌合凹部４ｂとソケット本体１０との隙間からソケット本体１０の内部やホルダ部４の内部に水分が侵入するのを防ぐことができる。ここで、保護部６ａ並びに凹所１１ａの表面（沿面）を絶縁部材２２で遮断することによって端子ピン７ａに印加される高圧パルス電圧が沿面を伝ってリークするのを防ぐことができる点は実施形態６と同一である。
【００６３】
なお、本実施形態では実施形態１及び６に防水部材２４を用いる構成としたが、実施形態３〜５の何れについても防水部材２４を用いて本実施形態と同様の作用効果を奏することは可能である。
【００６４】
（実施形態８）
本実施形態のランプソケットＳ６の基本構成は実施形態２のランプソケットＳ２と共通であるから、共通の構成要素には同一の符号を付して説明を省略し、本実施形態の特徴となる構成についてのみ説明する。
【００６５】
本実施形態のランプソケットＳ６は、図２８に示すように周辺側挿入溝１２ｂ内に配設されて周辺側端子ピン７ｂを受ける端子受け具１３”を、互いに分離して形成され、周辺側端子ピン７ｂを介してのみ互いに導通する一対の端子板１３ａ”，１３ａ”で構成した点に特徴がある。
【００６６】
端子板１３ａ”，１３ａ”は他方の端子受け具１３を構成するばね片１３ａ，１３ａと同一の形状に形成されており、互いにソケット本体１０の周辺側挿入溝部１２ｂ内で対向させて配設されている。また、これら２つの端子板１３ａ”，１３ａ”は、それぞれ電線により高圧パルス電圧発生部２３３に接続されている。
【００６７】
高圧パルス電圧発生部２３３は、図２９に示すようにパルストランスＰＴ、コンデンサＣ並びに放電ギャップＧを具備しており、パルストランスＰＴの１次側にコンデンサＣと放電ギャップＧの直列回路が並列に接続され、放電ギャップＧとコンデンサＣの接続点がランプソケットＳ６の一方の端子板１３ａ”に接続されるとともに、パルストランスＰＴの２次側の両端がランプソケットＳ６の中心側挿入溝部１２ａ内に配設された一方の端子受け具１３と直流−矩形波変換部２３２の一方の出力端とに各々接続されて構成される。
【００６８】
ここで、ランプソケットＳ６の他方の端子板１３ａ”は直流−矩形波変換部２３２の他方の出力端に接続されており、放電ランプＬＡ２の周辺側端子ピン７ｂが端子受け具１３”に接続されない限りは端子板１３ａ”，１３ａ”間が開放されているために高圧パルス電圧発生部２３３が動作しない。そして、図３０に示すように放電ランプＬＡ２の周辺側端子ピン７ｂが端子受け具１３”に接続されて端子板１３ａ”，１３ａ”間が導通するようになれば、直流−矩形波変換部２３２の出力によってコンデンサＣが充電されて高圧パルス電圧発生部２３３が動作可能となる。
【００６９】
本実施形態のランプソケットＳ６は上述のように構成されたものであり、一対の端子ピン７ａ，７ｂのうちで放電ランプＬＡ２の始動時に始動用の高圧パルス電圧が印加されない低圧側の周辺側端子ピン７ｂを受ける端子受け具１３”を、周辺側端子ピン７ｂを介してのみ互いに導通する一対の端子板１３ａ”，１３ａ”で構成しているので、端子受け具１３”で周辺側端子ピン７ｂを受けていない状態ではランプソケットＳ６の受金部が放電ランプＬＡ２の口金部と接続されず、放電ランプＬＡ２に対して始動用の高圧パルス電圧が印加されることがないために安全性の向上が図れる。
【００７０】
また、プリント配線板に上記パルストランスＰＴ、コンデンサＣ並びに放電ギャップＧ等の回路部品を実装して構成された高圧パルス電圧発生部２３３をソケット本体１０の内部に収納すれば、放電ランプＬＡ２を点灯する放電灯点灯装置の小型化が図れる。
【００７１】
なお、本実施形態では実施形態２のランプソケットＳ２に端子受け具１３”を用いる構成としたが、実施形態１又は３〜７の何れのランプソケットＳ１，…についても端子受け具１３”を用いて本実施形態と同様の作用効果を奏することが可能である。
【００７２】
（実施形態９）
本実施形態のランプソケットＳ７は、所謂Ｈ４ハロゲンランプを備えた自動車に対して、Ｈ４ハロゲンランプに置き換えて用いられる放電ランプＬＡ５が着脱自在に装着されるランプソケットである。
【００７３】
従来の置き換え用の放電ランプＬＡ５’は、図３９に示すように灯体に取り付けるための外鍔部１１１を前方に有して有底筒状に形成されたランプ本体１１０と、内部に放電管１１２ａが収納されたガラス管１１２と、ガラス管１１２を支持するホルダ部１１３とを備えている。ホルダ部１１３の後方には胴部１１４が突設されており、この胴部１１４を外鍔部１１１の前面中央の開口部（図示せず）からランプ本体１１０内に挿入し、ランプ本体１１０に対してホルダ部１１３を放電管１１２の軸方向に沿って移動自在に支持させてある。
【００７４】
ランプ本体１１０内には胴部１１４と連結されたアクチュエータ１１５と、アクチュエータ１１５を駆動する電磁ソレノイド１１６と、胴部１１４を前方（図３９における右方）に弾性付勢する圧縮コイルばねからなる復帰ばね１１７とが内蔵されている。また、放電管１１２ａ内に配設されている一対の電極１１２ｂ，１１２ｃに接続された電線１１８，１１８がランプ本体１１０の周部から引き出され、その先端には放電灯点灯装置に接続するためのカプラ１１９がそれぞれ付設されている。なお、ランプ本体１１０周部の電線１１８，１１８が引き出されている部位には、防水用のゴムキャップ１２１が取り付けられている。
【００７５】
さらに、外鍔部１１１の前面にはランプフード１２０が取り付けられている。このランプフード１２０は、所定の形状に打ち抜いた金属板が絞り加工や曲げ加工等によって成形されたものであり、放電管１１２ａから放射される光の一部を遮光して所望の配光特性を得るための容器状のフード本体１２０ａと、フード本体１２０ａから後方に延出されて外鍔部１１１に固定される固定片１２０ｂとで構成される。
【００７６】
そして、電磁ソレノイド１１６によってアクチュエータ１１５を駆動することでホルダ部１１３に支持されたガラス管１１２をその軸方向において前後に移動させれば、すれ違いビーム（所謂ロービーム）と走行ビーム（所謂ハイビーム）を択一的に切り換えて形成することができる。
【００７７】
ところで、従来の置き換え用の放電ランプＬＡ５’では電極１１２ｂ，１１２ｃに接続した電線１１８，１１８をランプ本体１１０の外に引き出す構造であったため、放電灯点灯装置との接続用に電線１１８，１１８の先端にカプラ１１９を設ける必要があり、放電灯点灯装置とカプラ１１９の接続のためにある程度のスペースを確保しなければならなかった。
【００７８】
これに対して本実施形態の放電ランプＬＡ５では、図３３に示すようにランプ本体１１０の周面より突出する円筒形の筒部１２２を形成し、筒部１２２の底面に円形の嵌合凹部１２３を形成するとともに、嵌合凹部１２３の底面から円筒形の一対の保護部１２４ａ，１２４ｂを突設し、各電極１１２ｂ，１１２ｃと接続された金属製の端子ピン１２５ａ，１２５ｂが保護部１２４ａ，１２４ｂから突出させてある。なお、後述するようにランプソケットＳ７に対する誤装着を防止するため、一方の保護部１２４ａの外形寸法を他方の保護部１２４ｂの外形寸法よりも大きくすることが望ましい。
【００７９】
上述のように構成される放電ランプＬＡ５が着脱自在に装着される本実施形態のランプソケットＳ７は、基本的に実施形態７のランプソケットＳ５と共通の構成を有するものであって、図３１及び図３２に示すように略円筒形のソケット本体１０の前面に保護部１２４ａ，１２４ｂが挿入される円形の凹所１１ａ，１１ｂと、端子ピン１２５ａ，１２５ｂが挿入される挿入溝部１２ａ，１２ｂとが連続一体に形成されている。そして、各挿入溝部１２ａ，１２ｂ内には端子ピン１２５ａ，１２５ｂに各々接触導通する端子受け具１３，１３”が配設されている。なお、一方の端子ピン７ｂと接触導通する端子受け具１３”は、実施形態８における端子受け具１３”と同一のものであって、互いに分離して形成され、端子ピン１２５ｂを介してのみ互いに導通する一対の端子板１３ａ”，１３ａ”で構成されている。
【００８０】
ここで、凹所１１ａにおける挿入溝部１２ａとの境界部分の内周面には、実施形態６と同一の絶縁部材２２が嵌合して収納固定される固定溝２３が形成されている。また、ソケット本体１０の外周面における先端部には、Ｏリングからなる防水部材２４を嵌着するための嵌着溝２５が周方向の全周に亘って形成されている。さらに、実施形態８と同様にパルストランス、コンデンサ並びに放電ギャップ等の回路部品をプリント配線板に実装して構成された高圧パルス電圧発生部（図示せず）がソケット本体１０の内部に収納されている。
【００８１】
而して、図３４に示すように放電ランプＬＡ５の端子ピン１２５ａ，１２５ｂをそれぞれランプソケットＳ７の挿入溝部１２ａ，１２ｂに挿入すると端子ピン１２５ａ，１２５ｂがそれぞれ端子受け具１３，１３”に接続され、ソケット本体１０が筒部１２２の底面に開口する嵌合凹部１２３に嵌合してランプソケットＳ７に放電ランプＬＡ５が装着される。このとき、ソケット本体１０の嵌着溝２５に嵌着されている防水部材２４が筒部１２２の嵌合凹部１２３の内周面に密着するため、嵌合凹部１２３とソケット本体１０との隙間からソケット本体１０の内部やランプ本体１１０の内部に水分が侵入するのを防ぐことができる点は実施形態７と同一である。また、保護部１２４ａ並びに凹所１１ａの表面（沿面）を絶縁部材２２で遮断することによって端子ピン１２５ａに印加される高圧パルス電圧が沿面を伝ってリークするのを防ぐことができる点は実施形態６と同一である。
【００８２】
【発明の効果】
請求項１の発明は、放電管と、ランプソケットの受金部と接続される口金部を有し放電管を支持するホルダ部とを具備し、前記口金部が前記ホルダ部の一面から同一方向に突出する一対の端子ピンからなる放電ランプが着脱自在に装着されるランプソケットであって、一対の前記端子ピンがそれぞれ挿入される一対の挿入溝部が一面に設けられたソケット本体と、該ソケット本体内に収納されて前記挿入溝部に挿入された前記端子ピンに接触導通する一対の端子受け具からなる前記受金部とを備えたことを特徴とし、ソケット本体の一面に一対の挿入溝部を設けるとともに挿入溝部に挿入された端子ピンを一対の端子受け具で受ける構成としたため、端子受け具をホルダ部の周面に対向する位置に設けなければならなかった従来例に比較してソケット本体の小型化及び薄型化が可能となる。
【００８３】
請求項２の発明は、請求項１の発明において、前記挿入溝部が開口する前記ソケット本体の装着面より突出して前記ホルダ部の少なくとも一部を覆う周壁部と、該周壁部の内周面に設けられて前記ホルダ部の周面に形成された係止溝に係止する係止爪とを備えたことを特徴とし、係止溝に係止爪を係止することで他の部材を使わずにホルダ部がソケット本体から脱落するのを防ぐことができる。
【００８４】
請求項３の発明は、請求項１の発明において、前記挿入溝部が開口する前記ソケット本体の装着面より突出して前記ホルダ部の少なくとも一部を覆う周壁部と、該周壁部の先端に設けられて前記ホルダ部より外側に突出する外鍔部に当接するフランジ部とを備えたことを特徴とし、ホルダ部の外鍔部にフランジ部を当接させた状態で前照灯や補助灯の灯体に放電ランプを固定すれば、放電ランプと同時にランプソケットも灯体に固定することができる。
【００８５】
請求項４の発明は、請求項１の発明において、前記放電ランプは、略円筒形に形成された前記ホルダ部の底面より突出する前記端子の基端部分を覆って保護する保護部が突設されてなり、前記ソケット本体の装着面における少なくとも何れか一方の前記挿入溝部の周囲に形成されて該保護部が挿入される略円弧状の凹所と、該凹所の一端側に設けられて前記保護部より突出する係合突起が挿入される係合突起挿入口と、前記凹所内に設けられて前記ホルダ部を前記ソケット本体に対して回動させたときに該係合突起挿入口より前記凹所内に挿入された前記係合突起と係合する係合溝とを備えたことを特徴とし、係合突起を係合溝に係合させることで他の部材を使わずにホルダ部がソケット本体から脱落するのを防ぐことができる。
【００８６】
請求項５の発明は、請求項１〜４の何れかの発明において、前記放電ランプは、略円筒形に形成された前記ホルダ部の底面より突出する前記端子の基端部分を覆って保護する保護部が突設されてなり、前記ソケット本体の装着面における前記挿入溝部の周囲に形成されて該保護部が挿入される一対の凹所と、絶縁材料によりリング状に形成され、該凹所のうちで少なくとも前記放電ランプの始動時に始動用の高圧パルス電圧が印加される方の前記端子ピンの前記保護部が挿入される方の凹所内に収納されて当該保護部の周面に当接する絶縁部材とを備えたことを特徴とし、ソケット本体の小型化及び薄型化を可能としつつ絶縁部材により保護部の沿面を通って高電圧が外部に漏れ出すのを防ぐことができる。
【００８７】
請求項６の発明は、請求項１〜４の何れかの発明において、前記放電ランプは、略円筒形に形成された前記ホルダ部の底面より突出する前記端子の基端部分を覆って保護する保護部が突設されてなり、前記ソケット本体の装着面における前記挿入溝部の周囲に形成されて該保護部が挿入される一対の凹所と、絶縁材料によりリング状に形成され、該凹所のうちで少なくとも前記放電ランプの始動時に始動用の高圧パルス電圧が印加される方の前記端子ピンの前記保護部が挿入される方の凹所内に収納されて当該保護部の先端面に当接する絶縁部材とを備えたことを特徴とし、ソケット本体の小型化及び薄型化を可能としつつ絶縁部材により保護部の沿面を通って高電圧が外部に漏れ出すのを防ぐことができる。
【００８８】
請求項７の発明は、請求項１又は４又は５又は６の発明において、前記放電ランプは、前記ホルダ部が略円形の凹部を底面に有する略円筒形に形成され、該凹部の底面より一対の前記端子ピンが突出してなり、前記凹部と嵌合する略円筒形に形成された前記ソケット本体と、前記ソケット本体の外周面と前記凹部の内周面の間に介在して該凹部内への水分の侵入を防ぐ防水部材とを備えたことを特徴とし、ソケット本体の小型化及び薄型化を可能としつつ防水部材によりソケット本体やホルダ部内部への水分の侵入を防ぐことができる。
【００８９】
請求項８の発明は、請求項１〜７の何れかの発明において、一対の前記端子ピンのうちで前記放電ランプの始動時に始動用の高圧パルス電圧が印加されない低圧側の前記端子ピンを受ける前記端子受け具は、当該端子ピンを介してのみ互いに導通する一対の端子板からなることを特徴とし、端子受け具で端子ピンを受けていない状態ではランプソケットの受金部が放電ランプの口金部と接続されず、放電ランプに対して始動用の高圧パルス電圧が印加されることがないために安全性の向上が図れる。
【００９０】
請求項９の発明は、請求項１〜８の何れかの発明において、前記放電ランプを始動させるための始動用の高圧パルス電圧を発生する高圧パルス電圧発生部を前記ソケット本体内に収納したことを特徴とし、高圧パルス電圧発生部をソケット本体内に収納することで放電ランプを点灯する放電灯点灯装置の小型化が図れる。
【図面の簡単な説明】
【図１】実施形態１のランプソケットに放電ランプを装着した状態を示す一部省略した断面図である。
【図２】同上のランプソケットの正面図である。
【図３】同上のランプソケットの断面図である。
【図４】同上における放電ランプを示し、（ａ）は正面図、（ｂ）は底面図である。
【図５】同上のランプソケットが接続される放電灯点灯装置の回路部ロック図である。
【図６】同上のランプソケットが接続される放電灯点灯装置の別の回路部ロック図である。
【図７】実施形態２のランプソケットの正面図である。
【図８】同上のランプソケットの断面図である。
【図９】同上における放電ランプを示し、（ａ）は正面図、（ｂ）は底面図である。
【図１０】同上のランプソケットに放電ランプを装着した状態を示す一部省略した断面図である。
【図１１】実施形態３のランプソケットの正面図である。
【図１２】同上のランプソケットの断面図である。
【図１３】同上のランプソケットに放電ランプを装着した状態を示す一部省略した断面図である。
【図１４】実施形態４のランプソケットの正面図である。
【図１５】同上のランプソケットの断面図である。
【図１６】同上における放電ランプを示し、（ａ）は正面図、（ｂ）は底面図である。
【図１７】同上のランプソケットに放電ランプを装着した状態を示す一部省略した断面図である。
【図１８】実施形態５のランプソケットの断面図である。
【図１９】同上における絶縁部材を示し、（ａ）は正面図、（ｂ）は側面図、（ｃ）は斜視図である。
【図２０】同上のランプソケットに放電ランプを装着した状態を示す一部省略した断面図である。
【図２１】実施形態６のランプソケットの断面図である。
【図２２】同上における絶縁部材を示し、（ａ）は正面図、（ｂ）は側面図、（ｃ）は斜視図である。
【図２３】同上のランプソケットに放電ランプを装着した状態を示す一部省略した断面図である。
【図２４】実施形態７のランプソケットの正面図である。
【図２５】同上のランプソケットの断面図である。
【図２６】同上における放電ランプを示し、（ａ）は正面図、（ｂ）は断面図、（ｃ）は底面図である。
【図２７】同上のランプソケットに放電ランプを装着した状態を示す一部省略した断面図である。
【図２８】実施形態８のランプソケットの断面図である。
【図２９】同上における高圧パルス電圧発生部の回路図である。
【図３０】同上のランプソケットに放電ランプを装着した状態を示す一部省略した断面図である。
【図３１】実施形態９のランプソケットの正面図である。
【図３２】同上のランプソケットの断面図である。
【図３３】同上における放電ランプを示し、（ａ）は断面図、（ｂ）は一部省略した底面図である。
【図３４】同上のランプソケットに放電ランプを装着した状態を示す一部省略した断面図である。
【図３５】従来の放電ランプを示し、（ａ）は正面図、（ｂ）は底面図である。
【図３６】従来のランプソケットの正面図である。
【図３７】同上のランプソケットの断面図である。
【図３８】同上のランプソケットに放電ランプを装着した状態を示す一部省略した断面図である。
【図３９】従来の他の放電ランプを示す断面図である。
【符号の説明】
１０  ソケット本体
１２  挿入溝部
１３  端子受け具
【図１】
2004220813.tif 000003
【図２】
2004220813.tif 000004
【図３】
2004220813.tif 000005
【図４】
2004220813.tif 000006
【図５】
2004220813.tif 000007
【図６】
2004220813.tif 000008
【図７】
2004220813.tif 000009
【図８】
2004220813.tif 000010
【図９】
2004220813.tif 000011
【図１０】
2004220813.tif 000012
【図１１】
2004220813.tif 000013
【図１２】
2004220813.tif 000014
【図１３】
2004220813.tif 000015
【図１４】
2004220813.tif 000016
【図１５】
2004220813.tif 000017
【図１６】
2004220813.tif 000018
【図１７】
2004220813.tif 000019
【図１８】
2004220813.tif 000020
【図１９】
2004220813.tif 000021
【図２０】
2004220813.tif 000022
【図２１】
2004220813.tif 000023
【図２２】
2004220813.tif 000024
【図２３】
2004220813.tif 000025
【図２４】
2004220813.tif 000026
【図２５】
2004220813.tif 000027
【図２６】
2004220813.tif 000028
【図２７】
2004220813.tif 000029
【図２８】
2004220813.tif 000030
【図２９】
2004220813.tif 000031
【図３０】
2004220813.tif 000032
【図３１】
2004220813.tif 000033
【図３２】
2004220813.tif 000034
【図３３】
2004220813.tif 000035
【図３４】
2004220813.tif 000036
【図３５】
2004220813.tif 000037
【図３６】
2004220813.tif 000038
【図３７】
2004220813.tif 000039
【図３８】
2004220813.tif 000040
【図３９】
2004220813.tif 000041